(57)【特許請求の範囲】
【請求項１】
払込票発行機関が発行した払込票のバーコードを読み取り、バーコード情報を生成するバーコードリーダと、
このバーコードリーダから出力されるバーコード情報に含まれる払込票発行機関情報、期限情報、払込金額情報に基づき、表示器上に払込金額を表示させる処理、前記払込票発行機関情報及び前記払込金額情報に対応する収納情報を生成する処理、ネットワークを介して、指定された収納代行装置に収納情報を供給する処理、収納情報に対応する関連帳票情報を生成する処理を行う収納端末と、
を備え、
前記収納端末は、（１）生成した前記収納情報を格納するメモリを有し、（２）日毎に当日分の前記収納情報を前記メモリから読み出して前記表示器に表示すると共に、前記当日分の前記収納情報における払込内容と前記当日分の各前記払込票の内容との突合作業を行って前記突合作業の内容に対応する突合情報を生成し、生成した前記突合情報を前記メモリに格納し、（３）前記収納情報を前記メモリから読み出し、払込票発行機関毎に払込金額を集計して払込票発行機関毎の精算情報を生成し、生成した前記払込票発行機関毎の精算情報を前記表示器に表示すると共に前記メモリに格納する、ことを特徴とする払込票受付処理装置。
【請求項２】
払込票発行機関と対応するバーコードが表記されたバーコード表と、
操作内容に対応する数字情報を生成するテンキーと、
払込票発行機関が発行した払込票のバーコード、または前記バーコード表のバーコードを読み取り、バーコード情報を生成するバーコードリーダと、
前記バーコードリーダから出力されるバーコード情報に期限情報、払込金額情報が含まれているとき、このバーコード情報に含まれる払込票発行機関情報、期限情報、払込金額情報を使用して、表示器に払込金額を表示させる処理、前記払込票発行機関情報及び前記払込金額情報に対応する収納情報を生成する処理、ネットワークを介して、指定された収納代行装置に収納情報を供給する処理、収納情報に対応する関連帳票情報を生成する処理を行い、また前記バーコードリーダから出力されるバーコード情報に期限情報、払込金額情報が含まれていないとき、このバーコード情報に含まれる払込票発行機関情報と前記テンキーから出力される数字情報とを使用して、前記表示器に払込金額を表示させる処理、前記払込票発行機関情報及び前記払込金額に対応する収納情報を生成する処理、前記ネットワークを介して、指定された前記収納代行装置に収納情報を供給する処理、収納情報に対応する関連帳票情報を生成する処理を行う収納端末と、
を備え、
前記収納端末は、（１）生成した前記収納情報を格納するメモリを有し、（２）日毎に当日分の前記収納情報を前記メモリから読み出して前記表示器に表示すると共に、前記当日分の前記収納情報における払込内容と前記当日分の各前記払込票の内容との突合作業を行って前記突合作業の内容に対応する突合情報を生成し、生成した前記突合情報を前記メモリに格納し、（３）前記収納情報を前記メモリから読み出し、払込票発行機関毎に払込金額を集計して払込票発行機関毎の精算情報を生成し、生成した前記払込票発行機関毎の精算情報を前記表示器に表示すると共に前記メモリに格納する、ことを特徴とする払込票受付処理装置。
【請求項３】
前記収納端末は、プリント指示が入力されたとき、前記収納情報に対応する関連帳票情報、または集計帳票情報を使用して、帳票プリンタから関連帳票、または集計帳票をプリントアウトさせる、ことを特徴とする請求項１又は２に記載の払込票受付処理装置。
【発明の詳細な説明】
【技術分野】
【０００１】
本発明は、例えば信用金庫等の金融機関において処理される払込票処理装置に関し、特に、払込票に印刷されているバーコードを読み込んで、払込票受付作業を簡素化させるようにした払込票受付処理装置に関する。
【背景技術】
【０００２】
ＮＴＴ、ＮＨＫ、各自治体などから各顧客に送付された払込票を処理する払込票処理システムとして、従来、図１４に示す信金型の払込票処理システム１０１が知られている。
【０００３】
図１４に示す信金型の払込票処理システム１０１は、信用金庫等の金融機関である払込票処理機関の営業店１０２などに配置され、顧客が払込票１０３などを提出し、払込みの依頼をしたとき、払込票処理機関の営業所の従業員によって操作されて、払込票１０３に対応する関連帳票１０５を出力する窓口端末１０４と、払込票処理機関の本店１０７などに配置され、各営業店１０２の営業時間終了後に集計票１０６などを出力し、各営業店１０２からメール便などで、収集された各払込票１０３のイメージを読み取り、文字コードを生成する活字ＯＣＲ（Optical Character Reader）装置１０８と、払込票処理機関の本店１０７などに配置され、活字ＯＣＲ装置１０８から出力される文字コードを処理して、決済情報を生成し、指定された時刻になったとき、ネットワーク１１０を介して、払込票発行企業（ＮＴＴ、ＮＨＫ、各自治体など）１１１のサーバに決済情報を送信し、消し込み処理などを行わせる収納代行サーバ１０９と、を備えている。
【０００４】
そして、払込票処理機関の営業店１０２に入店した顧客によって、払込票１０３、振り込み依頼票、払込み金額に対応する紙幣、硬貨が提出されたとき、営業所の従業員によって、払込票１０３、振り込み依頼票、紙幣、硬貨などが受け取られるとともに、受領証が作成されて、顧客に渡される。
【０００５】
また、この動作と並行し、払込票処理機関の営業所の従業員によって、窓口端末１０４が操作されて、払込票１０３の内容が入力され、払込票１０３に対応する関連帳票１０５、集計票１０６などがプリントアウトされる。そして、払込票処理機関の営業所の従業員によって、払込票発行企業単位で、これら払込票１０３、関連帳票１０５、集計票１０６などが纏められ、営業終了時刻まで、保管される。この後、当該営業店１０２の営業終了時刻になったとき、払込票発行企業単位で纏められた、払込票１０３、関連帳票１０５、集計票１０６などがメール便で、払込票処理機関の本店１０７などに送付される。
【０００６】
そして、払込票処理機関の本店１０７などの従業員によって、営業開始前に、各営業店１０２から送付された払込票発行企業単位の払込票１０３、関連帳票１０５、集計票１０６などが払込票発行企業単位で、さらに纏められて突合処理された後、突合処理済みの各払込票１０３が活字ＯＣＲ装置１０８にセットされる。
【０００７】
この後、活字ＯＣＲ装置１０８から出力される各払込票１０３の文字データが収納代行サーバ１０９に供給されて、決済情報が生成され、記憶される。
【０００８】
そして、各払込票発行企業１１１によって指定された時刻になる毎に、収納代行サーバ１０９に記憶されている各払込票発行企業１１１の決済情報が収納代行サーバ１０９→ネットワーク１１０→払込票発行企業（ＮＴＴ、ＮＨＫ、各自治体など）１１１のサーバなる経路で、払込票発行企業１１１のサーバに供給され、消し込み処理などが行われる。
【発明の概要】
【発明が解決しようとする課題】
【０００９】
ところで、このような信金型の払込票処理システム１０１では、払込票処理機関の営業店１０２に入店した顧客が払込票１０３による振り込み依頼票の起票の不便さや、払込み金額に対応する紙幣、硬貨などを提出する毎に、従業員が窓口端末１０４を操作して、関連帳票１０５、集計票１０６などを出力させなければならず、その分だけ作業効率が悪く、顧客の待ち時間が長くなってしまうという問題があった。
【００１０】
また、信金型の払込票処理システム１０１では、払込票処理機関の本店１０７などの従業員によって、各営業店１０２から送付された、払込票発行企業単位の払込票１０３、関連帳票１０５、集計票１０６などを払込票発行企業単位で、さらに纏めさせて、突合処理などを行わせた後、突合処理済みの各払込票１０３を活字ＯＣＲ装置１０８にセットさせて、各払込票１０３の文字データを収納代行サーバ１０９に処理させなければならず、従業員の負担が大き過ぎるという問題があった。
【００１１】
また、信金型の払込票処理システム１０１では、払込票処理機関側が予め契約している払込票発行企業１１１の払込票、例えばＮＴＴ、ＮＨＫ、地元の自治体などのように、営業エリア内に事業体がある企業、地元自治体など、地元の人にとって主要な払込票発行企業１１１の払込票１０３のみしか取り扱われない場合が多い。
【００１２】
このため、各自治体、例えば北海道の水道局が発行した払込票１０３を東京にある払込票処理機関の営業店１０２に持ち込んでも、この営業店１０２で払込票１０３の処理を行うことができないなど、顧客にとって、使い勝手が悪いという問題があった。
【００１３】
本発明は、上記の事情に鑑み、請求項１では、払込票処理機関の営業店に払込票が持ち込まれて、払込が依頼されたとき、払込票に印刷されたバーコードを読み取って、収納処理を行わせることができ、これによって営業店側の手間を大幅に簡素化させて、払込票処理機関の業務を大幅に省力化させることができ、さらに払込票処理機関側が収納代行契約していない払込票発行会社の払込票をも収納処理させることができる払込票受付処理装置を提供することを目的としている。
【００１４】
また、請求項２では、払込票処理機関の営業店に払込票が持ち込まれて、払込が依頼されたとき、払込票にバーコードが印刷されている場合のみならず、バーコードが印刷されていない場合でも、収納処理させることができ、これによって営業店側の手間を大幅に簡素化させて、金融機関の業務を大幅に省力化させることができ、さらに払込票処理機関側が収納代行契約していない払込票発行会社の払込票をも収納処理させることができる払込票受付処理装置を提供することを目的としている。
【００１５】
また、請求項３では、払込票処理機関の営業店に払込票が持ち込まれて、払込が依頼されたとき、払込票処理機関が契約した払込票発行会社の払込票のみならず、収納代行会社が契約した払込票発行会社の払込票であっても、また払込票にバーコードが印刷されている場合のみならず、バーコードが印刷されていない場合でも、関連帳票、集計票などを自動作成させることができ、これによって営業店側の手間を大幅に簡素化させて、金融機関の業務を大幅に省力化させることができるとともに、払込票処理機関側が収納代行契約していない払込票発行会社の払込票をも収納処理させることができる払込票受付処理装置を提供することを目的としている。
【課題を解決するための手段】
【００１６】
上記の目的を達成するために本発明は、請求項１の払込票受付処理装置では、払込票発行機関が発行した払込票のバーコードを読み取り、バーコード情報を生成するバーコードリーダと、このバーコードリーダから出力されるバーコード情報に含まれる払込票発行機関情報、期限情報、払込金額情報に基づき、表示器上に払込金額を表示させる処理、前記払込票発行機関情報及び前記払込金額情報に対応する収納情報を生成する処理、ネットワークを介して、指定された収納代行装置に収納情報を供給する処理、収納情報に対応する関連帳票情報を生成する処理を行う収納端末と、を備え、前記収納端末が、（１）生成した前記収納情報を格納するメモリを有し、（２）日毎に当日分の前記収納情報を前記メモリから読み出して前記表示器に表示すると共に、前記当日分の前記収納情報における払込内容と前記当日分の各前記払込票の内容との突合作業を行って前記突合作業の内容に対応する突合情報を生成し、生成した前記突合情報を前記メモリに格納し、（３）前記収納情報を前記メモリから読み出し、払込票発行機関毎に払込金額を集計して払込票発行機関毎の精算情報を生成し、生成した前記払込票発行機関毎の精算情報を前記表示器に表示すると共に前記メモリに格納することを特徴としている。
【００１７】
また、請求項２の払込票受付処理装置では、払込票発行機関と対応するバーコードが表記されたバーコード表と、操作内容に対応する数字情報を生成するテンキーと、払込票発行機関が発行した払込票のバーコード、または前記バーコード表のバーコードを読み取り、バーコード情報を生成するバーコードリーダと、前記バーコードリーダから出力されるバーコード情報に期限情報、払込金額情報が含まれているとき、このバーコード情報に含まれる払込票発行機関情報、期限情報、払込金額情報を使用して、表示器に払込金額を表示させる処理、前記払込票発行機関情報及び前記払込金額情報に対応する収納情報を生成する処理、ネットワークを介して、指定された収納代行装置に収納情報を供給する処理、収納情報に対応する関連帳票情報を生成する処理を行い、また前記バーコードリーダから出力されるバーコード情報に期限情報、払込金額情報が含まれていないとき、このバーコード情報に含まれる払込票発行機関情報と前記テンキーから出力される数字情報とを使用して、前記表示器に払込金額を表示させる処理、前記払込票発行機関情報及び前記払込金額に対応する収納情報を生成する処理、前記ネットワークを介して、指定された前記収納代行装置に収納情報を供給する処理、収納情報に対応する関連帳票情報を生成する処理を行う収納端末と、を備え、前記収納端末が、（１）生成した前記収納情報を格納するメモリを有し、（２）日毎に当日分の前記収納情報を前記メモリから読み出して前記表示器に表示すると共に、前記当日分の前記収納情報における払込内容と前記当日分の各前記払込票の内容との突合作業を行って前記突合作業の内容に対応する突合情報を生成し、生成した前記突合情報を前記メモリに格納し、（３）前記収納情報を前記メモリから読み出し、払込票発行機関毎に払込金額を集計して払込票発行機関毎の精算情報を生成し、生成した前記払込票発行機関毎の精算情報を前記表示器に表示すると共に前記メモリに格納することを特徴としている。
【００１８】
また、請求項３では、前記収納端末は、プリント指示が入力されたとき、前記収納情報に対応する関連帳票情報、または集計帳票情報を使用して、帳票プリンタから関連帳票、または集計帳票をプリントアウトさせることを特徴としている。
【発明の効果】
【００１９】
本発明の払込票受付処理装置では、払込票処理機関の営業店に払込票が持ち込まれて、払込が依頼されたとき、払込票に印刷されたバーコードを読み取って、収納処理を行わせることができ、これによって営業店側の手間を大幅に簡素化させて、金融機関の業務を大幅に省力化させることができ、さらに払込票処理機関側が収納代行契約していない払込票発行会社の払込票をも収納処理させることができる。
【００２０】
また、本払込票受付処理装置では、払込票処理機関の営業店に払込票が持ち込まれて、払込が依頼されたとき、払込票にバーコードが印刷されている場合のみならず、バーコードが印刷されていない場合でも、収納処理させることができ、これによって営業店側の手間を大幅に簡素化させて、金融機関の業務を大幅に省力化させることができ、さらに払込票処理機関側が収納代行契約していない払込票発行会社の払込票をも収納処理させることができる。
【００２１】
さらに、本払込票受付処理装置では、払込票処理機関の営業店に払込票が持ち込まれて、払込が依頼されたとき、払込票処理機関が契約した払込票発行会社の払込票のみならず、収納代行会社が契約した払込票発行会社の払込票であっても、また払込票にバーコードが印刷されている場合のみならず、バーコードが印刷されていない場合でも、関連帳票、集計票などを自動作成させることができ、これによって営業店側の手間を大幅に簡素化させて、本部事務の合理化が図れることから、金融機関の業務を大幅に省力化させることができるとともに、払込票処理機関側が収納代行契約していない払込票発行会社の払込票をも収納処理させることができる。
【図面の簡単な説明】
【００２２】
【図１】本発明による払込票受付処理装置の一つの実施形態を示すブロック図である。
【図２】図１に示す払込票受付処理装置のメインメニュー画面表示動作例を示すフローチャートである。
【図３】図１に示す払込票受付処理装置の収納動作例を示すフローチャートである。
【図４】図１に示す払込票受付処理装置の精算メニュー画面表示動作例を示すフローチャートである。
【図５】図１に示す払込票受付処理装置の突合動作例を示すフローチャートである。
【図６】図１に示す払込票受付処理装置の精算動作例を示すフローチャートである。
【図７】図１に示す払込票受付処理装置のタッチパネルに表示されるメインメニュー画面例を示す模式図である。
【図８】図１に示す払込票受付処理装置のタッチパネルに表示される収納画面例を示す模式図である。
【図９】図１に示す払込票受付処理装置のタッチパネルに表示される精算メニュー画面例を示す模式図である。
【図１０】図１に示す払込票受付処理装置のタッチパネルに表示される突合画面例を示す模式図である。
【図１１】図１に示す払込票受付処理装置のタッチパネルに表示される精算画面例を示す模式図である。
【図１２】本発明による払込票受付処理装置のうち、請求項２、３に対応する一形態を示すブロック図である。
【図１３】図１２に示すバーコード表の詳細な構成例を示す平面図である。
【図１４】従来から知られている、一般的な信金型の払込票処理システムの一例を示すブロック図である。
【発明を実施するための形態】
【００２３】
１．本発明に係る振込票受付処理装置の第１の実施形態
図１は、本発明による払込票受付処理装置の第１の実施形態を示すブロック図である。
図１に示す払込票受付処理装置１ａは、払込票処理機関の営業店などに配置され、顧客が持ち込んだ払込票２などのバーコードを読み取るバーコードリーダ３と、払込票処理機関の営業店などに配置され、バーコードリーダ３から出力されるバーコード情報などを解析して、払込票発行企業情報、支払期限情報、払込金額情報などを生成するとともに、これら払込票発行企業情報、支払期限情報、収入印紙貼付情報、払込金額情報などに基づき、収納可能かどうか、印紙が必要かどうかなどを判定し、収納可能で、かつ顧客から払込合計金額に対応する紙幣、硬貨などを受け取り、収納済みボタンが押されたとき（図８に示す印刷／送信ボタン３５がタッチされたとき）、収納情報、関連帳票情報などを生成し、記憶するとともに、収納情報をネットワーク８上に送出する収納端末７ａと、払込票処理機関の営業店などに配置され、収納端末７ａから出力される関連情報、集計情報などを取り込み、関連帳票５、集計票６などをプリントアウトする帳票プリンタ４とを備えており、顧客が持ち込んだ払込票２のバーコードを読み取り、バーコード情報を生成するとともに、このバーコード情報に含まれる払込票発行企業情報、支払期限情報、収入印紙貼付情報、払込金額情報などに基づき、収納可能かどうか、印紙が必要かどうかなどを判定し、収納可能で、かつ収納済みであるとき、収納情報、関連帳票情報などを生成して記憶した後、収納端末７ａ→ネットワーク８→収納代行会社の収納代行装置（または、払込票処理機関の本店に配置された収納代行サーバ）なる経路で、収納代行装置（または、払込票処理機関の本店に配置された収納代行サーバ）に収納情報を供給する。また、１日の営業終了時刻が経過し、営業所の従業員によって、精算指示が入力されたとき（図９に示す精算メニュー画面４０上で、精算ボタン４２がタッチされたとき）、各払込票発行企業毎に記憶している収納情報、関連帳票情報、収納情報を集計した集計情報などを整理して、帳票プリンタ４から関連帳票５、集計票６などプリントアウトさせる。
【００２４】
バーコードリーダ３は、先端が曲げられた筒状体によって形成されるプラスチック製のバーコードリーダ筐体と、バーコードリーダ筐体の先端部分に配置され、赤外線光などを出射／スキャンさせながら、その反射光を受光して、受光信号を出力する光センサと、バーコードリーダ筐体内に配置され、バーコードリーダ筐体の先端部分が払込票２に当接させられているとき、光センサから出力される受光信号を解析し、バーコード情報を生成するバーコード信号処理基板と、バーコードリーダ筐体の後端に形成された穴を介して、バーコード信号処理基板に接続され、収納端末７ａから出力される電源電圧をバーコード信号処理基板に供給しながら、バーコード信号処理基板から出力されるバーコード情報（シリアルデータ）を収納端末７ａに供給するケーブルとを備えており、従業員によって、バーコードリーダ筐体の先端部分が顧客から渡された払込票２のバーコード欄に当接させられたとき、払込票２のバーコード欄に印刷されているバーコードを読み取って、バーコード情報を生成し、収納端末７ａに供給する。
【００２５】
また、帳票プリンタ４は、箱状に形成されるプリンタ筐体と、プリンタ筐体内に配置され、印字動作を制御する印字制御基板と、一端がプリンタ筐体の後端に形成されたＵＳＢ端子などに接続され、他端が収納端末７ａのＵＳＢ端子などに接続され、収納端末７ａからプリント信号が出力されたとき、これを取り込み、プリンタ筐体内の印字制御基板に供給するＵＳＢケーブルと、一端がプリンタ筐体の後端に形成された電源端子などに接続され、他端が営業店のコンセントなどに接続され、コンセントから供給される電源電圧を取り込み、プリンタ筐体内の印字制御基板に供給する電源ケーブルと、プリンタ筐体内に配置され、印字制御基板からプリント指示、印字データが出力されたとき、プリンタ筐体内の給紙ユニットからプリンタ用紙を取り出して、関連帳票５、集計票６などプリントアウトする印字ユニットとを備えており、収納端末７ａからプリント信号が出力されたとき、印字制御基板によって、給紙ユニットからプリンタ用紙を取り出すとともに、印字ユニットを制御して、関連帳票５、集計票６などプリントアウトさせる。
【００２６】
また、収納端末７ａは、箱状に形成される収納端末筐体（図示は省略する）と、収納端末筐体内に配置され、バーコード情報処理、タッチ位置判定処理、収納情報生成処理、集計情報生成処理、関連帳票情報生成処理、通信処理などを行う演算制御ユニット９ａと、収納端末筐体内に配置され、領収証などをプリントアウトするプリント機構１０と、収納端末筐体の後端に配置され、ＵＳＢ端子、ＬＡＮ端子などを介して、外部機器と情報の授受を行う端子パネル（図示は省略する）と、収納端末筐体の後端などに配置され、従業員によってオン／オフ操作される電源スイッチ（図示は省略する）と、収納端末筐体の上部に配置される液晶表示器１１、タッチ位置センサ１２によって構成され、演算制御ユニット９ａから出力される表示データを取り込み、メインメニュー画面３０（図７参照）、精算メニュー画面４０（図９参照）などを表示するとともに、従業員によって、タッチされたとき、タッチ位置データを生成して、演算制御ユニット９ａに供給するタッチパネル１３とを備えており、従業員によって電源スイッチがオンされたとき、演算制御ユニット９ａによって、タッチパネル１３にメインメニュー画面３０を表示させるとともに、メインメニュー画面３０上に表示されている収納ボタン３１、精算ボタン３２、管理ボタン３３などの操作内容、精算メニュー画面４０上に表示されている照合ボタン４３、突合ボタン４１、精算ボタン４２などの操作内容などに応じて、バーコード情報処理、タッチ位置判定処理、収納情報生成処理、集計情報生成処理、関連帳票情報生成処理、通信処理などを行う。
【００２７】
この場合、演算制御ユニット９ａは、タッチパネル１３とデータの授受を行うタッチパネルインタフェース１４と、バーコードリーダ３とデータの授受を行うバーコードインタフェース１５と、帳票プリンタ４とデータの授受を行うプリンタインタフェース１６と、ネットワーク８を介して、収納代行会社の収納代行装置（または、払込票処理機関の本店に配置された収納代行サーバ）と情報の授受を行う通信インタフェース１７と、ＯＳ（Operating System）が格納されるＯＳ格納エリア１８、払込票受付処理プログラムなどが格納されるプログラム格納エリア１９ａ、収納代行会社側が収納代行契約している払込票発行企業の払込票発行企業情報、払込票処理機関の本店側が収納代行契約している払込票発行企業の払込票発行企業情報、帳票フォーマットデータなどが格納される帳票フォーマット格納エリア２０、新規に作成された収納情報などを一定期間、例えば３ヶ月間、記憶する収納情報格納エリア２１などを持つハードディスク２２ａと、ハードディスク２２ａにインストールされているＯＳ、払込票受付処理プログラムなどに基づき、システムバス２３を介して、タッチパネルインタフェース１４乃至ハードディスク２２ａなどとデータの授受を行いながら、各種の演算処理、データ処理などを行うＣＰＵ２４と、ＣＰＵ２４の作業エリアなどとして使用されるメモリ２５とを備えており、収納端末７ａの電源スイッチがオンにされているとき、ＣＰＵ２４によって、タッチパネルインタフェース１４乃至ハードディスク２２ａ、メモリ２５などを制御し、各種の表示処理、各種の演算処理、データ処理などを行う。
【００２８】
次に、図２乃至６に示すフローチャート、図７乃至１１に示す模式図を参照しながら、払込票受付処理装置１ａの動作を説明する。
【００２９】
まず、営業開始時刻になる前などにおいて、払込票処理機関の営業店内にいる従業員によって、収納端末７ａの電源スイッチが入れられたとき、図２のフローチャートに示す如く収納端末７ａのＣＰＵ２４によって、演算ユニット９ａ、タッチパネル１３、プリント機構１０、バーコードリーダ３などが初期化されるとともに、プログラム格納エリア１９ａに格納されている払込票受付プログラムが読み込まれて、払込票受付処理が開始され（ステップＳＴ１）、タッチパネル１３に図７の模式図に示すメインメニュー画面３０が表示される（ステップＳＴ２）。
【００３０】
この後、図３のフローチャートに示す如く払込票処理機関の営業店に入店した顧客によって、払込票２、振り込み依頼票等が提出され、営業所の従業員によって、払込票２、振り込み依頼票などが受け取られ、タッチパネル１３に表示されているメインメニュー画面３０の収納ボタン３１がタッチされたとき（ステップＳＴ５）、収納端末７ａがバーコード情報受け取り可能になるとともに、収納端末７ａから電源電圧が出力されて、バーコードリーダ３に供給される。
【００３１】
次いで、営業所の従業員によって、バーコードリーダ３の先端部分が払込票のバーコード欄に当接させられたとき、バーコードリーダ３によって、払込票２のバーコード欄に印刷されているバーコードが読み取られ、収納端末７ａにバーコード情報が供給される（ステップＳＴ６）。
【００３２】
そして、収納端末７ａの演算制御ユニット９ａによって、バーコード情報が解析され、バーコード情報に含まれる払込票発行企業情報、支払期限情報、払込金額情報などが抽出されるとともに（ステップＳＴ７）、これら払込票発行企業情報、支払期限情報、払込金額情報などに基づき、予め登録されている払込票発行企業が発行した払込票２のバーコード情報かどうか、支払期限内かどうか、印紙代が必要かどうか、収納可能かどうかなどが判定される。
【００３３】
ここで、バーコードリーダ３から出力されたバーコード情報が予め登録されている払込発行企業が発行した払込票２のバーコード情報であり、支払期限内であれば（ステップＳＴ８）、収納端末７ａの演算制御ユニット９ａによって、印紙代を含む払込合計金額が演算されて（ステップＳＴ９）、図８に示す如くタッチパネル１３の収納画面３４上に、赤色で、払込票発行企業情報、合計払込金額情報、関連情報が表示される（ステップＳＴ１０）。
【００３４】
また、バーコードリーダ３から出力されたバーコード情報が予め登録されている払込票発行企業が発行した払込票２のバーコード情報であっても、支払期限超過であれば、収納端末７ａの演算制御ユニット９ａによって、収納可能かどうかが判定され、収納可能であれば（ステップＳＴ８）、期限超過分の追加金額、印紙代を含む払込合計金額が演算されて（ステップＳＴ１１）、図８に示す如くタッチパネル１３の収納画面３４上に、赤色で、払込票発行企業情報、合計払込金額情報、関連情報が表示される（ステップＳＴ１０）。
【００３５】
この後、顧客が合計払込金額に対応する紙幣、硬貨の支払いを完了し、従業員によって、タッチパネル１３の収納画面３４上にある支払い完了ボタン（印刷／送信ボタン３５）がタッチされたとき、演算制御ユニット９ａのＣＰＵ２４によって、払込票発行企業情報、支払期限情報、合計払込金額情報などに対応する収納情報が生成されて、ハードディスク２２ａの収納情報格納エリア２１に記憶されるとともに（ステップＳＴ１３）、領収証情報が作成され、プリント機構１０から領収証がプリントアウトされ、顧客に渡される（ステップＳＴ１４）。
【００３６】
また、この動作と並行し、演算制御ユニット９ａのＣＰＵ２４によって、通信インタフェース１７が制御されて、通信インタフェース１７→ネットワーク８→収納代行会社側の収納代行サーバ（または、払込票処理機関の本店側の収納代行サーバ）なる経路で、収納情報が供給され、決済処理されるとともに、収納情報格納エリア２１に通信内容が記憶される（ステップＳＴ１５、ＳＴ１６）。
【００３７】
そして、営業店の営業が終了し、図４のフローチャートに示す如く営業店の従業員によって、収納端末７ａのタッチパネル１３上に表示されているメインメニュー画面３０の精算ボタン３２がタッチされたとき（ステップＳＴ２０）、収納端末７ａ内のＣＰＵ２４によって、これが検知されて、タッチパネル１３上に図９に示す精算メニュー画面４０が表示される（ステップＳＴ２１）。
【００３８】
そして、図５のフローチャートに示す如く営業店の従業員によって、タッチパネル１３に表示された精算メニュー画面４０上にある突合ボタン４１がタッチされたとき（ステップＳＴ２５）、収納端末本７ａのＣＰＵ２４によって、収納情報格納エリア２１に記憶されている収納情報などのうち、当日分の収納情報などが読み出されて（ステップＳＴ２６）、タッチパネル１３に図１０に示す突合画面５０が表示され、この突合画面５０上に表示されている払込内容と、当日分の各払込票２の内容との突合作業が行われると共に、突合作業の内容に対応する突合情報が生成されて、収納情報格納エリア２１に記憶される（ステップＳＴ２７乃至ＳＴ３０）。
【００３９】
この後、突合作業が完了し、営業店の従業員によって、タッチパネル１３に表示された突合画面５０上の戻るボタン５１がタッチされたとき（ステップＳＴ３０）、収納端末７ａ内のＣＰＵ２４によって、これが検知されて、タッチパネル１３上に図９に示す精算メニュー画面４０が再表示される。
【００４０】
また、払込票処理機関の営業店の従業員によって、タッチパネル１３に表示された精算メニュー画面４０上にある集計票印刷ボタン４３がタッチされたとき、収納情報に対応する関連帳票情報、集計情報などが作成され（ステップＳＴ３８、ＳＴ３９）、精算ボタン４２がタッチされたとき（ステップＳＴ３５）、収納端末７ａ内のＣＰＵ２４によって、タッチパネル１３に図１１に示す精算画面６０が表示される。
【００４１】
そして、図６のフローチャートに示す如くタッチパネル１３に表示されている精算画面６０上にある精算実行ボタン６１がタッチされたとき（ステップＳＴ３５）、収納端末７ａ内のＣＰＵ２４によって、収納情報格納エリア２１に記憶されている収納情報などのうち、払込票処理機関側が契約した払込票発行企業の収納情報などが読み出され、各払込票発行企業毎に集計されて、精算情報が生成され、収納情報格納エリア２１に記憶されとともに（ステップＳＴ３６、ＳＴ３７）、タッチパネル１３に表示された精算画面６０で、精算結果一覧表が表示され、従業員に精算内容が知らされる（ステップＳＴ３８）。
【００４２】
また、受付集計票印字ボタン４４がタッチされると（ステップＳＴ３９）、収納端末７ａ内のＣＰＵ２４によって、収納情報格納エリア２１に記憶されている収納情報に対応する関連帳票情報、集計情報などが作成され（ステップＳＴ４０、ＳＴ４１）、これらが収納情報格納エリア２１に記憶されるとともに（ステップＳＴ４２）、これらの関連帳票情報、集計情報などがプリンタインタフェース１６に供給され、帳票プリンタ４から、払込票処理機関側が契約した払込票発行企業毎に、関連帳票５、集計票６などがプリントアウトされる（ステップＳＴ４３）。
【００４３】
そして、図１０に赤色に表示された払込票１０３は、払込票処理機関の従業員によって、関連帳票５、集計票６などと、各払込票２とが組み合わされ、当日のメール便で、払込票処理機関の本店などに送付される。
【００４４】
また、収納代行会社側が契約した払込票発行企業の各払込票２については、営業店に保管され、月末など、収納代行会社が指定した期日に、郵便などで、収納代行会社に送付される。
【００４５】
このように、この第１の実施形態では、払込票処理機関の営業店に払込票２が持ち込まれて、払込が依頼されたとき、バーコードリーダ３によって、払込票２に印刷されたバーコードを読み取り、収納端末７ａによって、バーコードリーダ３から出力されるバーコード情報を処理させて、収納情報を生成させ、ネットワーク８を介して、収納代行会社、または払込票処理機関の本店などに収納情報を供給させるようにしているので、払込票処理機関の営業店に払込票２が持ち込まれたとき、営業店側の手間を大幅に簡素化させて、金融機関の業務を大幅に省力化させることができ、さらに払込票処理機関側が収納代行契約していない払込票発行会社の払込票をも収納処理させることができる。
【００４６】
また、この第１形態では、払込票処理機関の営業店に払込票２が持ち込まれて、払込が依頼されたとき、バーコードリーダ３によって、払込票２に印刷されたバーコードを読み取って、収納情報を生成させるとともに、収納端末７ａ内に記憶させ、営業店の営業が終了した後において、精算指示が入力されたとき、収納端末７ａ内に記憶されている収納情報などのうち、払込票発行企業毎に、払込票処理機関側が契約した払込票発行企業の収納情報を纏めて、関連帳票情報、集計情報などを作成させ、帳票プリンタ４から、関連帳票５、集計票６などをプリントアウトさせるようにしているので、営業店内にいる従業員の手作業処理を少なくさせることができるとともに、手作業処理時に発生していた、払込票２、関連帳票５、集計票６の組合わせミスを大幅に低減させることができる。
【００４７】
２．本発明に係る振込票受付処理装置の第２の実施形態
図１２は、本発明による払込票受付処理装置の第２の実施形態を示すブロック図である。なお、図１２において、図１の各部と対応する部分には、同じ符号が付してある。
図１２に示す払込票受付処理装置１ｂが図１に示す払込票受付処理装置１ａと異なる点は、バーコード表７０と、テンキー７１とを新たに追加配置するとともに、テンキーインタフェース７６が追加された演算ユニット９ｂを使用し、さらにプログラム格納エリア１９ｂに、バーコードリーダ３から供給されるバーコード情報を解析して、支払期限、払込金額などの情報が含まれているかどうかを判断する付加情報有無判断プログラムと、バーコードリーダから供給されるバーコード情報に支払期限、払込金額などの情報が含まれていないとき、バーコードリーダ３から供給されるバーコード情報（払込票発行企業名を示す情報）とテンキー７１から出力されるキーデータの情報（支払期限、払込金額などを示す情報）とを組み合わせて、顧客が持ち込んだ払込票７２のバーコード情報（払込票発行企業名を示す情報、支払期限、払込金額などを示す情報など）を作成するバーコード情報作成プログラムとを追加インストールした収納端末７ｂを使用し、バーコードが印字されていない払込票７２についても、処理し得るようにしたことである。
【００４８】
バーコード表７０は、図１３に示すように、厚手の紙、あるいはプリンタ用紙、プラスチック板などによって構成される一枚（または、複数枚）の印刷基板７３と、印字基板７３上に各払込票発行企業名が各々、印刷される複数の払込票発行企業名エリア７４と、印字基板７３上の各払込票発行企業名エリア７４と対応するように配置され、対応する払込票発行企業名のバーコードが印刷される複数のバーコードエリア７５とを備えており、顧客が持ち込んだ払込票７２にバーコードが印刷されていないとき、営業店内の従業員によって、払込票７２の払込票発行企業名に対応する払込票発行企業名エリア７４が選択される。そして、この払込票発行企業名エリア７４に対応するバーコードエリア７５のバーコードに、バーコードリーダ３が当てられたとき、バーコードリーダ３を介して、収納端末７ｂにバーコード情報を提供する。
【００４９】
また、テンキー７１は各々、プラスチック素材などによって構成される、薄箱状のテンキー筐体と、テンキー筐体の上面に形成された開口部内に配置される複数の数字キー、複数のファンクションキーと、テンキー筐体内に配置され、各数字キー、各ファンクションキーのいずれかが押下されたとき、押下されたキーに対応するキーデータを生成するキーエンコーダ基板と、テンキー筐体の一辺に形成された穴を介して、キーエンコーダ基板に接続され、収納端末から出力される電源電圧をキーエンコーダ基板に供給しながら、キーエンコーダ基板から出力されるキーデータを収納端末に供給するケーブルとを備えており、営業店内の従業員によって、顧客が持ち込んだ払込票７２に印刷されている支払期限、払込金額などに対応する各数字キー、各ファンクションキーが押下されたとき、押下されたキーに対応するキーデータ（支払期限、払込金額などを示すシリアルデータ）を生成して、収納端末７ｂに供給する。
【００５０】
そして、この払込票受付処理装置１ｂでは、タッチパネル１３に表示されたメインメニュー画面３０上にある収納ボタン３１がタッチされて、収納モードが選択されているとき、収納端末７ｂのＣＰＵ２４によって、バーコードリーダ３から供給されるバーコード情報を解析して、このバーコード情報に支払期限、払込金額などの情報が含まれているかどうかをチェックし、このバーコード情報に支払期限、払込金額などの情報が含まれていれば、このバーコード情報を使用して、収納処理を行う。また、バーコードリーダ３から供給されるバーコード情報に、支払期限、払込金額などの情報が含まれていなければ、バーコードリーダ３から供給されるバーコード情報（バーコード表７０を使用して得られた払込票発行企業名を示す情報）とテンキー７１から出力されるキーデータの情報（支払期限、払込金額などを示す情報）とを組み合わせてバーコード情報を作成した後、このバーコード情報を使用して、収納処理を行う。
【００５１】
このように、この第２の実施形態では、バーコード表７０、テンキー７１を使用して、払込票７２の印刷内容に対応する情報を入力させて、バーコード情報を作成させるとともに、このバーコード情報を使用させて、収納情報を作成させるようにしているので、払込票７２にバーコードが印刷されていない場合でも、バーコードが印刷されているときとほぼ同様な手順で、払込票７２を処理させることができ、これによって営業店内にいる従業員の手間を大幅に低減させることができるとともに、払込票処理機関側が収納代行契約していない払込票発行会社の払込票をも決済処理させることができる。
【００５２】
また、この第２形態においても、払込票処理機関の営業店に払込票７２が持ち込まれて、払込が依頼されたとき、バーコード表７０、テンキー７１を使用させて、払込票７２の印刷内容に対応する情報を入力させ、バーコード情報を作成させるとともに、このバーコード情報に対応する収納情報を収納端末７ｂ内に記憶させ、営業店の営業が終了した後において、精算指示が入力されたとき、収納端末７ｂ内に記憶されている収納情報などのうち、払込票発行企業毎に、払込票処理機関側が契約した払込票発行企業の収納情報を纏めて、関連帳票情報、集計情報などを作成させ、帳票プリンタ４から、関連帳票５、集計票６などをプリントアウトさせるようにしているので、営業店内にいる従業員の手作業処理を少なくさせることができるとともに、手作業処理時に発生していた、払込票７２、関連帳票５、集計票６の組み合わせミスを大幅に低減させることができる。
【産業上の利用可能性】
【００５３】
本発明は、例えば信用金庫等の金融機関において処理される払込票処理装置に関し、特に、払込票に印刷されているバーコードを読み込んで、払込票受付作業を簡素化させるようにした払込票受付処理装置に関し、産業上の利用可能性を有する。
【符号の説明】
【００５４】
１ａ、１ｂ：払込票受付処理装置
２：払込票
３：バーコードリーダ
４：帳票プリンタ
５：関連帳票
６：集計票
７ａ、７ｂ：収納端末
８：ネットワーク
９ａ、９ｂ：演算制御ユニット
１０：プリント機構
１１：液晶表示器
１２：タッチ位置センサ
１３：タッチパネル
１４：タッチパネルインタフェース
１５：バーコードインタフェース
１６：プリンタインタフェース
１７：通信インタフェース
１８：ＯＳ格納エリア
１９ａ、１９ｂ：プログラム格納エリア
２０：帳票フォーマット格納エリア
２１：収納情報格納エリア
２２ａ、２２ｂ：ハードディスク
２３：システムバス
２４：ＣＰＵ
２５：メモリ
３０：メインメニュー画面
３１：収納ボタン
３２：精算ボタン
３３：管理ボタン
３４：収納画面
３５：印刷／送信ボタン
４０：精算メニュー画面
４１：突合ボタン
４２：精算ボタン
４３：照合ボタン
４４：受付集計票印字ボタン
５０：突合ボタン
５１：戻るボタン
６０：精算画面
６１：精算実行ボタン
７０：バーコード表
７１：テンキー
７２：払込票
７３：印刷基板
７４：払込票発行企業名エリア
７５：バーコードエリア
７６：テンキーインタフェース
【図１】
0005419575.tif 000002
【図２】
0005419575.tif 000003
【図３】
0005419575.tif 000004
【図４】
0005419575.tif 000005
【図５】
0005419575.tif 000006
【図６】
0005419575.tif 000007
【図７】
0005419575.tif 000008
【図８】
0005419575.tif 000009
【図９】
0005419575.tif 000010
【図１０】
0005419575.tif 000011
【図１１】
0005419575.tif 000012
【図１２】
0005419575.tif 000013
【図１３】
0005419575.tif 000014
【図１４】
0005419575.tif 000015